(57)【特許請求の範囲】
【請求項１】
連珠の玉にはめ込む筒状部と、これと一体化した連結用頭部とで構成された装身具用連結具であって、連結用頭部には筒状部の開口端を開放するスリット部と、上記開口端に対して一定の距離をおいてこのスリット部の側壁間に配置した糸掛け部と、筒状部に挿通された糸に対し、その長さ方向に直交するよう、その両端に切込みを形成した筒状部を圧潰することからなる、上記筒状部に設けた糸の固着手段とを備えるとともに、連結用頭部には上記スリット部を利用した、対向して設けた受け具への連結手段とを備えていることを特徴とする装身具用連結具。
【発明の詳細な説明】
【０００１】
【発明の属する技術分野】
この発明は、連珠ネックレス、連珠ブレスレット等の連珠装身具に使用される通し糸の連結構造を備えた装身具用連結具に関するものである。
【０００２】
【従来の技術】
従来、真珠、さんご、ビースなどの珠玉を連ねて形成する連珠ネックレス等の通し糸の糸止め方法としては、各珠を繋いで導出された通し糸を、ネックレス連結具であるネックレスクラスプ（以下クラスプという）に付設される糸掛けリングと挿通して、折り返し、再度、逆方向から両端の数個の珠に挿通し、端末を手作業により締結していた。
【０００３】
【発明が解決しようとする課題】
しかし、かかる方法では結び目の位置により、連結が強すぎて連珠ネックレス等に柔軟性が失われたり、連結が弱すぎて各珠間に緩みが生じてしまうことがあり、しかも一旦結び目を作ってしまうと止め直しが困難であるという問題点を生じていた。
【０００４】
そのため、連珠ネックレス等の通し糸の端末を折り返し、挿通した一方の金具を他方の金具内にスチールボール１４を介持した状態で締め付けることにより、通し糸の折り返し部をスチールボールを介して双方の金具間で締め付け、通し糸を固定する糸止め金具が実開平６‐０７９３１４号公報に開示されている。しかし、本構造においては、通し糸は球状のスチールボールにより１箇所で圧接されるに過ぎず、双方の金具の締め付けが少しでも緩んだ場合には、スチールボールが回転してしまい、通し糸が簡単に外れてしまうという問題点を生じていた。また、金具側には、並行した糸通し孔を２箇所開口しなければならないため、制作が困難なばかりか、金具の小型化を図ることも困難であった。
【０００５】
そこで、特開２０００−１９７５１０号公報のように、軸方向に連珠ネックレス等の通し糸を挿通する糸通し孔をそれぞれ貫通、開口し、一側に小径の雄ねじ部が形成された雄筒体と一側に糸通し孔と連通する大径の雌ねじ孔が形成された雌筒体を着脱可能に構成し、糸通し孔に形成される収容部内には弾性体による押圧片が遊挿されることで、雄筒体を雌筒体に装着して糸通し孔を連通するとともに、押圧片を雄筒体と雌筒体の先端で押圧し、通し糸を糸通し孔の孔壁に圧着、固定する糸止め金具が提案されている。しかしながら、上記糸止め金具においては、弾性体による押圧片に強い負荷がかかると通し糸が抜け落ちたり、経年変化で弾性体が劣化しやすいという問題点があり、また非常に小さい部品にねじ部を設けているために組み付け作業が面倒であったり、組み付けがうまくいかなかったりするという欠点があった。
【０００６】
この発明は、連珠ネックレス等に使用される通し糸の端末を、結び目を作らずに容易に固定でき、しかも確実な連結状態を得ることができる装身具用連結具を提供することを目的とする。
【０００７】
【課題を解決するための手段】
すなわちこの発明の装身具用連結具は、連珠の玉にはめ込む筒状部と、これと一体化した連結用頭部とで構成された装身具用連結具であって、連結用頭部には筒状部の開口端を開放するスリット部と、上記開口端に対して一定の距離をおいてこのスリット部の側壁間に配置した糸掛け部と、筒状部に挿通された糸に対し、その長さ方向に直交するよう、その両端に切込みを形成した筒状部を圧潰することからなる、上記筒状部に設けた糸の固着手段とを備えるとともに、連結用頭部には上記スリット部を利用した、対向して設けた受け具への連結手段を備えていることを特徴とするものである。
【０００８】
この発明の装身具用連結具は、上記連結用頭部を係止する受け具が、開口部に突起を形成した筒状本体と、上記開口部に向けて付勢するよう筒状本体内に収納した弾性材とを備えていることをも特徴とするものである。
【０００９】
この発明の装身具用連結具は、上記受け具への連結手段が、スリット部とスリット部の適所に設けた屈曲部とで構成されていることをも特徴とするものである。
【００１０】
この発明の装身具用連結具は、上記筒状部に設けた糸の固着手段が、筒状部に挿通された糸に対し、その長さ方向に直交するよう圧入されたピンもしくは小ネジからなることをも特徴とするものである。
【００１１】
この発明の装身具用連結具は、上記筒状部に設けた糸の固着手段が、筒状部に挿通された糸に対し、その長さ方向に直交するよう筒状部を圧潰することからなることをも特徴とするものである。
【００１２】
この発明の装身具用連結具は、上記圧潰される筒状部が、その両端に切込みを形成されていることをも特徴とするものである。
【００１３】
この発明の装身具用連結具は、上記筒状部に設けた糸の固着手段が、筒状部に挿通された糸を接着剤で筒状部内に固定することからなることをも特徴とするものである。
【００１４】
この発明は以上のように構成したので、連珠ネックレス等に使用される通し糸の端末を、結び目を作らずに容易に固定でき、しかも確実な連結状態を得ることができる装身具用連結具を提供することが可能となった。
【００１５】
またこの発明によれば、結び目の位置を簡単に調節することができるので、連結が強すぎて連珠ネックレス等に柔軟性が失われたり、連結が弱すぎて各珠間に緩みが生じてしまうことがなく、しかも連結後にも止め直しが容易な装身具用連結具を提供することが可能となった。
【００１６】
【発明の実施の形態】
以下、図面に基づきこの発明を詳細に説明する。図１はこの発明に係る装身具用連結具の１実施例を示す断面図、図２はその連結作業を示す斜視図、図３は連結作業に使用する工具の断面図、図４はこの発明に係る装身具用連結具の使用状態を示す概略断面図、図５はこの発明に係る装身具用連結具の他の実施例を示す断面図、図６はさらに別の実施例を示す断面図、図７（ａ），（ｂ）は参考例を示す横断面図および縦断面図、図８は受け具の１用例を示す断面図、図９は受け具の別の用例を示す断面図、図１０は受け具の側面図、図１１は受け具の端面図である。
【００１７】
図１ないし図４に示すこの発明の装身具用連結具の１実施例において、装身具用連結具１１は、連珠の玉２１にはめ込む筒状部１２と、これと一体化した連結用頭部１３とで構成されている。そして上記連結用頭部１３には筒状部１２の開口端１４を開放するスリット部１５と、上記開口端１４に対して一定の距離をおいてこのスリット部１５の側壁間に配置した糸掛け部１６が形成されている。なお、上記連結用頭部１３の筒状部１２は、絹、合成樹脂、ワイヤーなどを素材とする連珠ネックレス等の通し糸２２の端末を固定するため、通し糸２２を挿通する糸通し孔１７を軸方向に貫通、開口している。
【００１８】
したがって通し糸２２は、糸通し孔１７を通って筒状部１２の開口端１４からスリット部１５へ引き出され、スリット部１５に設けた糸掛け部１６の外周へ巻き付けて反転させ、再度筒状部１２のスリット部１５基端に位置する開口端１４から筒状部１２の糸通し孔１７へ挿通される。
【００１９】
上記筒状部１２には通し糸２２の固着手段が備えられている。図においてこの通し糸２２の固着手段は、筒状部１２を径方向に圧潰してなる構造である。すなわち、金、銀、プラチナ、真鍮などの金属製筒状部１２には、長さ方向に所定の間隔で切込み３１がほぼ５０％程度の深さに形成してあり、この切込み３１の内側部分を専用工具を用いて圧潰すれば、図１のように筒状部１２の切込み３１の内側部分が押し潰されて通し糸２２を挟み付けるのである。
【００２０】
上記専用工具３２は、図３に示すようにプライヤ状に形成され、加工用端部３３にそれぞれ凹部３４とこれに対応して設けた凸部３５とを備えている。もちろんそれらの横幅は、上記切込み３１の内側部分の長さよりも小さい寸法に形成されている。したがって、図２R>２のように専用工具３２先端の凹部３４に筒状部１２をはめ込み、その状態で専用工具３２の先端の凸部３５を筒状部１２に向けて加圧すると、筒状部１２は図３のように押し潰され、通し糸２２を強固に固着することができるのである。３６は隙間調整ボルトである。
【００２１】
図４にしたがって、この発明の装身具用連結具１１の使用方法について説明すると、左側に示した装身具用連結具１１においては、通し糸２２を筒状部１２からスリット部１５へ引き出し、スリット部１５に設けた糸掛け部１６の外周へ巻き付けて反転させ、再度筒状部１２のスリット部１５から筒状部１２へ挿通する。その状態で専用工具３２の先端の凸部３５を筒状部１２に向けて加圧すると、筒状部１２は押し潰され、通し糸２２を圧接する。この状態で接着剤を圧着部分に供給すると、通し糸２２を強固に固着することができる。
【００２２】
一方、右側に示した装身具用連結具１１においては、まず通し糸２２を上記と同様にして糸掛け部１６へ取り付ける。そして、専用工具３２で筒状部１２を約８０％の力で加圧しておき、圧着部分に接着剤を供給した上で通し糸２２の先端を牽引して、通し糸２２を程よい張力で張り、それから専用工具３２で確実に圧着する。その後、接着剤が固まったところで余分な通し糸２２を切断する。図において２３は連珠の玉２１間に取り付けたシリコンゴム製のクッション材で、通し糸２２を程よい張力で張るのに役立つ。
【００２３】
図５および図６はこの発明に係る装身具用連結具１１の他の実施例を示すものであり、上記筒状部１２に設けた通し糸２２の固着手段が、筒状部１２に挿通された通し糸２２に対し、その長さ方向に直交するよう圧入されたピン４１もしくは小ネジ４２からなるものである。
【００２４】
すなわち図５においては、連結用頭部１３と筒状部１２との間にフランジ部４３を設け、このフランジ部４３にピン４１が、筒状部１２に対して長さ方向に直交するよう圧入された状態を示している。このピン４１は表面に滑り止めが形成された針状をなし、フランジ部４３に設けたピン４１よりやや小さい径に形成した小孔４４に工具等を用いて圧入される。通し糸２２は、上記ピン４４の先端で圧潰された状態となり、確実に筒状部１２内に固着される。
【００２５】
図６において、連結用頭部１３と筒状部１２との間にフランジ部４３を設け、このフランジ部４３に小ねじ４２が、筒状部１２に対して長さ方向に直交するようねじ込まれた状態を示している。この小ねじ４２はミニドライバ等を用いてねじ込まれる。通し糸２２は、上記小ねじ４２の先端で圧潰された状態となり、確実に筒状部１２内に固着される。
【００２６】
いずれにして、筒状部１２に挿通された通し糸２２は、上述のような固着手段で固定された後、最終的に筒状部１２内へ接着剤を充填することにより確実に固定される。
【００２７】
図７（ａ），（ｂ）はこの発明の装身具用連結具の参考例を示し、通し糸２２に代えて紐５１を連結する場合を説明するためのものである。この例では、筒状部１２´は大径でかつ有底に形成されており、開口部には内向きのフランジ部５２が形成されている。他方、紐５１の端部には一部を開放したリング状の抜け止め金具５３が取り付けされている。したがって、この抜け止め金具５３を周方向に加圧して開放部分５４を縮めながら筒状部１２´の開口部から押し込み、加圧を解くと、抜け止め金具５３は上記フランジ部５２に係合する位置まで自動的に拡径し、紐５１を引き抜こうとするとフランジ部５２に係止されるのである。
【００２８】
図８ないし図１１にこの発明の装身具用連結具１１の連結用頭部１３を係合して連結する受け具６１を示す。すなわち上記連結用頭部１３を係止する受け具６１は、その開口部に対向する１対の突起６３を形成した有底の筒状本体６２と、上記開口部に向けて付勢するよう筒状本体６２内に収納した弾性材とを備えている。この弾性材としてはコイルバネ６４であることが望ましい。６５はコイルバネ６４の端部に取り付けた、連結用頭部１３に突き当ててコイルバネ６４の付勢力を伝達する押圧板である。
【００２９】
上記受け具６１は図８のように連結用ハウジング７１内に所定の間隔で収納しても、図９のように隙間のない状態で収納してもよく、前者の場合は大きいハウジングに、また後者の場合は小さいハウジングに対応させることができる。その際、筒状本体６２底部の中芯部にはネジ溝が切ってあるので、連結用ハウジング７１が金属以外の素材で形成されているときは、ネジ切りボルト状部品７２を使用して連結用ハウジング７１内に装着し、筒状本体６２底部の中芯部に接着剤を充填した上、対向する筒状本体１１を反対方向に回してネジ切りボルト状部品７２に固着すると、見た目にもきれいに、しかも確実に筒状本体６２を連結用ハウジング７１内に取り付けることができる。なお、連結用ハウジング７１が金属製の場合には、筒状本体６２は通常のロー付け溶接で連結用ハウジング７１に固着すればよい。
【００３０】
図１０および図１１のように、筒状本体６２の開口部に対向して設けた突起６３は、１対でなくとも周方向に所定の間隔で複数設けることができる。もちろんその場合には、上記連結用頭部１３に突起６３に対応する数の溝を形成することが必要である。
【００３１】
この発明の装身具用連結具１１においては、上記受け具６１への連結手段が、上記連結用頭部１３のスリット部１５を利用している。すなわち、連結用頭部１３のスリット部１３を、通し糸２２を取り付けた状態で上記突起６３が通れる深さとし、さらにスリット部１５の適所に９０度以上に折り曲げた屈曲部６６を形成してある。したがって、連結用頭部１３を受け具６１の開口部からスリット部１５部分に突起６３をはめ込むようにして押圧板６５に突き当てながら、コイルバネ６４の弾性力に抗して押し込み、所定の押し込み量になった段階で屈曲部６６に突起６３がはまり合うよう回せば、屈曲部６６に突起６３が係合した状態で連結用頭部１３は受け具６１に係止される。外すときはこれと逆の操作をすればよい。
【００３２】
受け具６１と連結用頭部１３との関係を以上のように構成すると、受け具６１と連結用頭部１３とをワンタッチで極めて簡単に取り付け、取り外すことができる。
【００３３】
以上のようにこの発明をいくつかの実施例により説明したが、それを以って本発明を限定するものではなく、本発明には種々の変更が可能である。また装身具用連結具の外形形状は、図示されたほぼ円柱体や球体に限定されるものではなく、ほぼ角柱体やその他装飾的な種々の形状を採用できることはいうまでもない。
【００３４】
【発明の効果】
この発明は以上のように構成したので、連珠ネックレス等に使用される通し糸の端末を、結び目を作らずに容易に固定でき、しかも確実な連結状態を得ることができる装身具用連結具を提供することが可能となった。
【００３５】
またこの発明によれば、結び目の位置を簡単に調節することができるので、連結が強すぎて連珠ネックレス等に柔軟性が失われたり、連結が弱すぎて各珠間に緩みが生じてしまうことがなく、しかも連結後にも止め直しが容易な装身具用連結具を提供することが可能となった。
【図面の簡単な説明】
【図１】この発明に係る装身具用連結具の１実施例を示す断面図である。
【図２】その連結作業を示す斜視図である。
【図３】連結作業に使用する工具の断面図である。
【図４】この発明に係る装身具用連結具の使用状態を示す概略断面図である。
【図５】この発明に係る装身具用連結具の他の実施例を示す断面図である。
【図６】さらに別の実施例を示す断面図である。
【図７】（ａ），（ｂ）は参考例を示す横断面図および縦断面図である。
【図８】受け具の１用例を示す断面図である。
【図９】受け具の別の用例を示す断面図である。
【図１０】受け具の側面図である。
【図１１】受け具の端面図である。
【符号の説明】
１１ 装身具用連結具
１２，１２´ 筒状部
１３ 連結用頭部
１４ 開口端
１５ スリット部
１６ 糸掛け
１７ 糸通し孔
２１ 連珠の玉
２２ 通し糸
２３ クッション材
３１ 切込み
３２ 専用工具
３３ 加工用端部
３４ 凹部
３５ 凸部
３６ 隙間調整ボルト
４１ ピン
４２ 小ネジ
４３ フランジ部
４４ 小孔
５１ 紐
５２ フランジ部
５３ 抜け止め金具
５４ 開放部分
６１ 受け具
６２ 筒状本体
６３ 突起
６４ コイルバネ
６５ 押圧板
６６ 屈曲部
７１ 連結用ハウジング
【図１】
0004079662.tif 000002
【図２】
0004079662.tif 000003
【図３】
0004079662.tif 000004
【図４】
0004079662.tif 000005
【図５】
0004079662.tif 000006
【図６】
0004079662.tif 000007
【図７】
0004079662.tif 000008
【図８】
0004079662.tif 000009
【図９】
0004079662.tif 000010
【図１０】
0004079662.tif 000011
【図１１】
0004079662.tif 000012